(57)【特許請求の範囲】
【請求項１】
合成樹脂をマトリックスとし、強化繊維で強化した竿管の外側に釣糸ガイドを装着した釣竿であって、
該釣糸ガイドの本体は竿管に装着するための装着部と、該装着部と連続しており、釣竿の先方に向って傾斜している傾斜部とを有し、
側面視において傾斜部の平均的傾斜ラインと竿管表面との交点よりも前方に突出していると共に、前方から見て、装着部と傾斜部との交点近くにおける前記釣糸ガイド本体と竿管表面との隙間を埋めている支持部を有し、
該支持部は前記釣糸ガイド本体よりも軟質な部材で形成されており、
該支持部の上縁は装着部の上面位置よりも高く、釣糸ガイドリングの下端位置以下に位置し、正面視における支持部の左右幅は前記傾斜部の元部付近の左右幅よりも大きい
ことを特徴とする釣竿。
【請求項２】
合成樹脂をマトリックスとし、強化繊維で強化した竿管の外側に釣糸ガイドを装着した釣竿であって、
該釣糸ガイドの本体は竿管に装着するための装着部と、該装着部と連続しており、釣竿の先方に向って傾斜している傾斜部とを有し、
側面視において傾斜部の平均的傾斜ラインと竿管表面との交点よりも前方に突出していると共に、前方から見て、装着部と傾斜部との交点近くにおける前記釣糸ガイド本体と竿管表面との隙間を埋めている支持部を有し、
該支持部は前記釣糸ガイド本体よりも軟質な部材で形成されており、
該支持部の上縁は装着部の上面位置よりも高く、釣糸ガイドリングの下端に位置し、正面視における支持部の左右幅は前記傾斜部の元部付近の左右幅よりも大きい
ことを特徴とする釣竿。
【発明の詳細な説明】
【０００１】
【発明の属する技術分野】
本発明は、竿管の外側に釣糸ガイドを装着した釣竿に関する。
【０００２】
【従来の技術】
実開昭６０−６８９７４号公報には、ガイドリングを釣糸ガイド本体で両側から傾斜状に支持している釣糸ガイドを竿管の外側に装着した釣竿が開示されている。また、実開平６−７５１６２号公報には、釣糸ガイド本体の傾斜部が前方にのみ傾斜した釣糸ガイドが開示されている。これらの釣糸ガイド本体の前方への傾斜部には釣糸が引っ掛り難く、そのため釣り操作がし易い。
【０００３】
【発明が解決しようとする課題】
然しながら、この傾斜部と竿管に装着するための装着部との交点付近の釣糸ガイド本体と竿管との間には一般に隙間が生じており、釣糸ガイド装着の安定性が低下すると共に、この隙間にはゴミや、海水の塩等が蓄積し易い。傾斜部の存在のためにこのゴミ等の除去作業は容易ではない。また、後者公報の釣糸ガイド構造では、釣糸ガイドが上側に位置するようにして釣りを行う場合に、魚が掛った場合のように負荷が作用して釣糸ガイド本体の傾斜部が竿管表面に近づくように力が作用したり、或いは、大径竿管内に小径竿管を収納させる場合に、釣糸ガイドが大径竿管の先端部に当り、釣糸ガイドの傾斜部と装着部との交点近くが竿管表面を強く押し付け、ここに応力が集中して竿管を損傷させる虞がある。
【０００４】
依って本発明は、釣糸ガイド装着の安定性を向上させると共に、釣糸ガイドと竿管との間にゴミが蓄積することを防止できる釣竿の提供を目的とする。
また、釣糸ガイドに力が作用しても竿管を損傷させ難い釣竿の提供を目的とする。
【０００５】
【課題を解決するための手段】
上記目的に鑑みて本発明は請求項１において、合成樹脂をマトリックスとし、強化繊維で強化した竿管の外側に釣糸ガイドを装着した釣竿であって、該釣糸ガイドの本体は竿管に装着するための装着部と、該装着部と連続しており、釣竿の先方に向って傾斜している傾斜部とを有し、側面視において傾斜部の平均的傾斜ラインと竿管表面との交点よりも前方に突出していると共に、前方から見て、装着部と傾斜部との交点近くにおける釣糸ガイド本体と竿管表面との隙間を埋めている支持部を有し、該支持部は前記釣糸ガイド本体よりも軟質な部材で形成されており、該支持部の上縁は装着部の上面位置よりも高く、釣糸ガイドリングの下端位置以下に位置し、正面視における支持部の左右幅は前記傾斜部の元部付近の左右幅よりも大きいことを特徴とする釣竿を提供する。
また請求項２において、合成樹脂をマトリックスとし、強化繊維で強化した竿管の外側に釣糸ガイドを装着した釣竿であって、該釣糸ガイドの本体は竿管に装着するための装着部と、該装着部と連続しており、釣竿の先方に向って傾斜している傾斜部とを有し、側面視において傾斜部の平均的傾斜ラインと竿管表面との交点よりも前方に突出していると共に、前方から見て、装着部と傾斜部との交点近くにおける前記釣糸ガイド本体と竿管表面との隙間を埋めている支持部を有し、該支持部は前記釣糸ガイド本体よりも軟質な部材で形成されており、該支持部の上縁は装着部の上面位置よりも高く、釣糸ガイドリングの下端に位置し、正面視における支持部の左右幅は前記傾斜部の元部付近の左右幅よりも大きいことを特徴とする釣竿を提供する。
【０００６】
請求項１では、傾斜部と装着部との交点付近の竿管表面との隙間を埋めた支持部は、傾斜部の平均的傾斜ラインと竿管表面との交点よりも前方に突出しているため、釣糸ガイド装着の安定性が向上すると共に、竿管表面との間にゴミや塩等が蓄積することを防止でき、更に、支持部は釣糸ガイド本体よりも軟質な部材で形成されているため、釣糸ガイドに力が作用しても竿管を損傷させ難い上、支持部の上縁は装着部の上面位置よりも高く、釣糸ガイドリングの下端位置以下に位置すると共に、支持部左右幅が傾斜部の元部付近の左右幅よりも大きいため、傾斜部の支持が安定すると共に、傾斜部から竿管に対してもたらす荷重を分散できる。
請求項２では、上記請求項１と同様である。
【０００７】
【発明の実施の形態】
以下本発明を添付図面に示す実施の形態例に基づき、更に詳細に説明する。
図１は第１形態例の要部断面の側面図であり、図２は矢視線Ｂ−Ｂによる横断面図、図３は矢視線Ｃ−Ｃによる断面正面図である。エポキシ樹脂等の合成樹脂をマトリックスとし、炭素繊維等の強化繊維で強化した竿管１０の外側に釣糸ガイド１２を装着固定している。釣糸ガイド本体１２Ｃの装着部１２Ｂが座部１２Ｅを介して糸部材１４によって竿管１０に固定され、この糸部材の上から糸止め剤１６が含浸されている。装着部１２Ｂの前側には竿先方向に傾斜した傾斜部１２Ａが連続しており、この傾斜部に、セラミックス等の硬質の釣糸ガイドリング１２Ｄが装着されている。
【０００８】
前記傾斜部１２Ａの元部付近には、座部１２Ｅと連続した支持部１２Ｆが配設されており、図３に示す様に正面から見た場合、この支持部によって釣糸ガイド本体１２Ｃと竿管表面との間の隙間を埋めている。この支持部は傾斜部１２Ａの傾斜ラインと竿管表面との交点Ｐ０よりも前方に突出している。また、支持部の上縁１２ＦＳは糸部材１４の上面よりも高い位置に在る。傾斜部の支持の安定化のため、支持部１２Ｆの前面は竿管に対して概ね垂直、或いは竿管表面に近づくに従って竿先方向に突出するように設定していると共に、上縁１２ＦＳは少なくとも装着部１２Ｂの上面よりも高い位置にあり、好ましくは糸止め剤１６の上面よりも高く設定し、釣糸ガイドリング１２Ｄの下端位置以下に設定する。また、図３に現われている支持部１２Ｆの左右幅は、傾斜部１２Ａの元部付近の左右幅よりも大きく設定している。従って、傾斜部の支持が安定すると共に、傾斜部から竿管に対してもたらす荷重を分散できる。座部１２Ｅと支持部１２Ｆは、釣竿の軽量化のため、釣糸ガイド本体１２Ｃよりも比重の小さな材料で形成することが好ましい。
ここでは傾斜部１２Ａは側面視において直線であるため、その傾斜ラインがそのまま平均的傾斜ラインであるが、曲線であれば傾斜を平均的に定める。
【０００９】
以上の構成のため、傾斜部１２Ａと竿管に装着するための装着部１２Ｂとの交点付近の釣糸ガイド本体１２Ｃと竿管１０の表面との間の隙間を埋めており、ここにゴミ等が蓄積することが防止される。また、釣糸ガイド１２に負荷が作用して傾斜部が倒される方向の力を受けても、上記支持部１２Ｆの存在によって釣糸ガイドの安定性が向上する。更には、釣糸ガイド本体１２Ｃと支持部１２Ｆや座部１２Ｅを一体に形成してもよいが、支持部を、金属材や合成樹脂等の釣糸ガイド本体１２Ｃよりも軟質の材料、例えば、ゴム部材、或いは合成樹脂等で形成すれば、上記の傾斜部が倒される方向の力を受けた場合に、該傾斜部と装着部との交点付近の釣糸ガイド本体１２Ｃが竿管１０に付与する応力を緩和させ、竿管が損傷することを防止する。
【００１０】
なお、釣糸ガイド１２に負荷が作用して傾斜部が倒される方向の力を受けた場合に釣糸ガイドの安定性を向上させたり、この場合の傾斜部と装着部との交点付近の釣糸ガイド本体１２Ｃが竿管１０に付与する応力を緩和させ、竿管が損傷することを防止する目的では、上記支持部１２Ｆは必ずしも竿管表面との隙間を塞ぐことを要しない。また、安定性向上の目的には支持部の材料を釣糸ガイド本体１２Ｃの材料よりも必ずしも軟質にする必要性は無いが、押圧力の緩和目的では軟質にする必要がある。上記形態例では、軟質な座部１２Ｅが装着部１２Ｂの下面全体に配されているため、釣糸ガイド１２に作用する負荷によって装着部１２Ｂの下面縁部が竿管１０に付与する応力を緩和できる。
この段落のことは以下の形態例においても同様である。
【００１１】
図４から図６は参考例を示しており、図５は図４の矢視線Ｅ−Ｅによる横断面図、図６は図４の矢視線Ｆ−Ｆによる断面図である。第１形態例と異なるのは、第１形態例では釣糸ガイド本体１２Ｃが平板状部材で形成されているが、参考例では断面コ字状の部材で形成されていることである。座部１２Ｅと支持部１２Ｆとが軟質部材で形成されておれば、糸部材１４で巻回固定する場合に、軟質部材が断面コ字状の中に入り込んで一体化し、装着された釣糸ガイド本体１２Ｃと支持部とが共により安定する。
【００１２】
図７は第２形態例を示し、図８は矢視線Ｈ−Ｈによる横断後面図である。釣糸ガイド本体１２Ｃは、竿管１０に装着される装着部１２Ｂと、竿先方向に傾斜した傾斜部１２Ａと、竿管に装着させつつ前記傾斜部１２Ａを支える作用をする支持部１２Ｇとを有している。なお、この場合、釣糸ガイドリング１２Ｄは支持部１２Ｇの立設部に装着されている。装着部１２Ｂと支持部１２Ｇの装着部は、既述の形態例と同様に、糸部材１４の巻回と糸止め剤１６とによって竿管に装着されている。また、装着部１２Ｂは竿管１０との間に座部１２Ｅと支持部１２Ｆとを介在させており、また、支持部１２Ｇの装着部は同様な座部１２Ｅ’と後方への支持部１２Ｆ’とを介在させている。
【００１３】
支持部１２Ｆの上縁１２ＦＳも支持部１２Ｆ’の上縁１２ＦＳ’も共に、各糸部材１４の表面よりも高い位置にあると共に、正面視又は後面視において竿管１０の表面との隙間を埋めており、ゴミ等が蓄積しないようにしている。また、支持部１２Ｆは傾斜部１２Ａの平均的傾斜ラインと竿管の表面との交点よりも前方に突出しており、支持部１２Ｆ’は支持部１２Ｇの立設部の平均的傾斜ラインと竿管表面との交点よりも後方に突出している。また、図８に示すように傾斜部１２ＡはＶ字形状を成しており、軟質部材でできた支持部１２ＦがＶ字内部に入り込み、釣糸ガイド本体の装着を安定させている。
【００１４】
更にこの場合の支持部１２Ｆの前面１２ＦＦは、竿管表面との間の肉厚が前方に漸減するように直線状又は曲面状に傾斜している。また、支持部１２Ｆ’の後面１２ＦＲは、竿管表面との間の肉厚が後方に漸減するように直線状又は曲面状に傾斜している。従って、傾斜部１２Ａと支持部１２Ｇの立設部とを夫々効果的に支持している他、この場合、各支持部は釣糸ガイド本体１２Ｃよりも軟質部材であるため、釣糸ガイドへの負荷による竿管への応力集中を緩和して、竿管の損傷を防止している。座部１２Ｅ，１２Ｅ’も軟質部材であるため、釣糸ガイド本体装着による竿管への応力緩和ができる。
【００１５】
図９は装着部１２Ｂが座部１２Ｅを介して竿管１０に装着されるのみならず、前記座部１２Ｅと連続した外側部１２Ｕによって装着部１２Ｂの外側が覆われている。即ち、装着部は内側と外側で挟むように覆われ、釣糸ガイド本体１２Ｃが外れ難い。巻回固定用の糸部材は必須ではないが、あった方が装着固定化が安定して好ましいが、ここではその図示を省略している。図１３を除き、以下の図も同様である。
座部１２Ｅは、必ずしも装着部１２Ｂの全面に亘って密着して設ける必要性は無く、例えば図１０のように長手方向中央部に凹部１２Ｖを設けておけば、装着部１２Ｂの上から糸部材で巻回固定する際に、該装着部の中央部が僅かでも撓むことにより、装着部前後の端部と座部１２Ｅとが強く密着し、釣糸ガイド本体１２Ｃの固定力と安定度が向上する。この凹部を深くし、座部１２Ｅに貫通孔をあけたり、また、座部を前後の２部品（同一材料でもよく、また異なる材料でもよい）とし、中間に隙間を生ずるように組立てもよい。この他、座部を、釣糸ガイド本体１２Ｃの装着部１２Ｂと傾斜部１２Ａとの境界近傍部の下面と竿管表面との間のみに設けてもよい。
【００１６】
図１１は、座部を無くし、釣糸ガイド本体１２Ｃの装着部１２Ｂを竿管１０の表面に接触させ、傾斜部１２Ａの前側に支持部１２Ｆを配設した形態例である。こうすれば、魚信が釣糸ガイドリング１２Ｄと釣糸ガイド本体１２Ｃを介して直接に竿管１０に伝達され、釣竿を握っている手に伝わり易く、魚信感度が向上する。魚信感度向上の目的では、装着部の全長を竿管１０に接触させる必要性は無く、一部分でもよい。また、本形態例では、釣糸ガイド本体１２Ｃを糸部材で竿管１０に固定した後に、支持部１２Ｆのみを釣糸ガイド本体１２Ｃの傾斜部１２Ａに押し当てるようにして、接着したり、或いは接着しないで傾斜部に設けた孔部に押込んだりして装着することもできる。こうした場合、支持部１２Ｆは傾斜部１２Ａの傾斜面に全面密着するのでなく、一部に隙間を有していてもよい。
【００１７】
更には、支持部１２Ｆの先部１２ＦＥを自由にさせた際に、２点鎖線で示すように、竿管１０の表面よりも中心側に位置する状態であれば、即ち、支持部１２Ｆを装着した際に先部１２ＦＥが竿管表面を押圧するように構成されていれば、支持部１２Ｆは正面視において、竿管１０が撓んだ際にもこの竿管表面と釣糸ガイド本体の傾斜部１２Ａとの間を埋めており、ゴミ等の堆積が防止できる。この支持部１２Ｆの装着をより確実化させるために、２点鎖線１２ＦＵで示すように支持部に連続した同様な部材で、傾斜部１２Ａと装着部１２Ｂとの境界近傍を両側から、或いは中央に孔を設けている場合は、その孔を通して装着部１２Ｂの外側面上まで覆えば、装着固定の信頼性が向上する。
【００１８】
図１２は、ゴミ等の堆積防止の目的から外れるが、釣糸ガイドに釣糸の負荷が作用した場合にも竿管の損傷を防止するためには、座部１２Ｅの前端の突出部１２Ｆ”が、図示のような前方に突出した曲面表面１２ＦＴを有しておれば、釣糸ガイド本体１２Ｃの傾斜部１２Ａと装着部１２Ｂとの境界角部が竿管１０の表面に強く当って竿管を損傷させることが防止される。
【００１９】
図１３は、装着部１２Ｂの下側のみに座部１２Ｅを設けると、装着部後端における段差が更に大きくなり、糸部材１４の巻回作業が困難になるため、座部１２Ｅの後端に、その表面が装着部後端表面と概ね面一になるように形成し、肉厚が後方に向って漸次減少する尾部分１２ｅを連続形成している。従って、糸部材１４の巻回が容易であって、巻回が安定する。
図１４では、図１３に示す装着部１２Ｂの後端のみならず、装着部の左右縁における竿管表面との段差を防止すべく、装着部の各縁と概ね面一から始まり、円周方向に離れるに従ってその肉厚が漸次減少するように、座部に連続して右部分１２Ｒ、左部分１２Ｌが夫々設けられている。これにより巻回された糸部材が竿管とよく馴染み、釣糸ガイド本体１２Ｃの装着部１２Ｂを安定して固定できる。他の形態として尾部分１２ｅが無く、左右の部分１２Ｌ，１２Ｒのみの場合、左右何れかの部分のみの場合、左右何れかの部分と尾部分１２ｅとの組み合わせがある。
【００２０】
図１５は図３に対比させた形態を示しており、図３の場合に比較して支持部１２Ｆの輪郭形状に特徴を有している。即ち、釣糸ガイド本体の傾斜部１２Ａの正面視の輪郭形状に沿った細身形状（逆台形状）とし、図３の場合と同様な輪郭１２ＦＬ’にした場合と比較して、支持部１２Ｆの前面にゴミ等が堆積し難くなると共に、軽量化が図られる。然しながら、このままでは竿管１０との密着性が低下し易いため、これを防止するため、支持部の基部に、左右の円周方向に広げた部分１２ｆを連続させて竿管表面に密着させている。
【００２１】
図１６は、支持部１２Ｆを釣糸ガイド本体１２Ｃと一体的に形成した部材を竿管１０表面に装着する構造を示す。即ち、釣糸ガイド本体１２Ｃの製造時に、傾斜部１２Ａを支持する支持部１２Ｆを同一部材で一体に形成したり、例えば、金属製の釣糸ガイド本体１２Ｃに対して合成樹脂を射出して支持部１２Ｆを一体的にさせたりである。この支持部の材料としては、他に木、コルク等でもよい。こうした材料の場合は、金属や合成樹脂の釣糸ガイド本体１２Ｃに対して、これらを予め接着一体化等させたものを竿管１０に対して装着固定させる。こうした一体的構造を採用した場合、竿管への装着固定作業が容易迅速になる。
【００２２】
支持部１２Ｆの上縁１２ＦＳは２点鎖線で示すように釣糸ガイドリング１２Ｄの下端にまで達していてもよい。更には、本発明に述べる支持部ではないが、釣糸ガイドリング１２Ｄの両側、又は片側を支持するリブ１２ＤＨを有してもよい。
傾斜部１２Ａは垂直状に形成してもよく、また、支持部１２Ｆと釣糸ガイド本体１２Ｃが異なる材料で形成される場合には、傾斜部は横断面を凹状（コ字状）に形成し、支持部の中央部を当該凹部にはめ込んだ状態で強固に一体化させてもよく、逆に傾斜部の横断面を凸状に形成して、支持部を凹状に形成して嵌め合わせて強固に一体化させてもよい。
【００２３】
【発明の効果】
以上の説明から明らかなように本発明によれば、釣糸ガイド装着の安定性を向上させると共に、釣糸ガイドと竿管との間にゴミが蓄積することの防止が可能となる他、釣糸ガイドに力が作用しても竿管を損傷させ難い釣竿が提供できる。
【図面の簡単な説明】
【図１】図１は本発明に係る第１形態例の釣竿の要部断面側面図である。
【図２】図２は図１の矢視線Ｂ−Ｂによる横断面図である。
【図３】図３は図１の矢視線Ｃ−Ｃによる断面正面図である。
【図４】図４は参考例の釣竿の要部断面側面図である。
【図５】図５は図４の矢視線Ｅ−Ｅによる横断面図である。
【図６】図６は図４の矢視線Ｆ−Ｆによる断面上面図である。
【図７】図７は第２形態例の釣竿の要部断面側面図である。
【図８】図８は図７の矢視線Ｈ−Ｈによる断面後面図である。
【図９】図９は１形態例の釣竿の要部断面側面図である。
【図１０】図１０は１形態例の釣竿の要部断面側面図である。
【図１１】図１１は１形態例の釣竿の要部断面側面図である。
【図１２】図１２は参考形態例の釣竿の要部断面側面図である。
【図１３】図１３は１形態例の釣竿の要部断面側面図である。
【図１４】図１４は図１３の釣竿要部の平面図である。
【図１５】図１５は１形態例の釣竿の断面正面図である。
【図１６】図１６は１形態例の釣竿の要部側面図である。
【符号の説明】
１０                竿管
１２                釣糸ガイド
１２Ａ              傾斜部
１２Ｂ              装着部
１２Ｃ              釣糸ガイド本体
１２Ｅ              座部
１２Ｆ              支持部
【図１】
0003613428.tif 000002
【図２】
0003613428.tif 000003
【図３】
0003613428.tif 000004
【図４】
0003613428.tif 000005
【図５】
0003613428.tif 000006
【図６】
0003613428.tif 000007
【図７】
0003613428.tif 000008
【図８】
0003613428.tif 000009
【図９】
0003613428.tif 000010
【図１０】
0003613428.tif 000011
【図１１】
0003613428.tif 000012
【図１２】
0003613428.tif 000013
【図１３】
0003613428.tif 000014
【図１４】
0003613428.tif 000015
【図１５】
0003613428.tif 000016
【図１６】
0003613428.tif 000017